(57)【要約】【課題】    片側方向から施工できるファスナー装置の施工時に、装置の供回りを防止し迅速に施工ができ作業性のよい施工用治具を提供すること。【解決手段】    片側方向から施工できるファスナー装置１の開脚スリーブ１０に施工時の供回りを阻止する工具装着部１２を有している。治具本体１０１にファスナー装置の工具装着部１２を係合できる幅の治具側縁板１０２を設け、治具側縁板１０２の内側にファスナー挿通穴１０３を設ける。治具本体１０１の治具側縁板１０２を被結合部材に設置したファスナー装置１の工具装着部１２に係合する。ファスナー装置を治具本体１０１のファスナー挿通穴１０３に装着する。ファスナー装置を施工する時に、治具本体が反力受部３０ａに係止して当該治具本体の反力を受けて回転を阻止し、施工中のファスナー装置の供回りを防止する。【選択図】    図３
2006308040.tif 000002
【特許請求の範囲】
【請求項１】
ファスナー装置が、片側方向から施工でき、施工時の供回りを阻止する工具装着部を有するものであり、治具本体が、ファスナー装置を挿通するファスナー挿通穴とファスナー装置の工具装着部と係合し該ファスナー装置の自由な回転を阻止する係合面を有するファスナー係合部を設けたものであり、ファスナー装置を施行する被結合部材に、工具装着部を突出させてファスナー装置を挿通した後該工具装着部に上記治具本体の上記ファスナー係合部を係合し、又は、上記工具装着部に上記治具本体の上記ファスナー係合部を係合した状態で当該ファスナー装置を挿通し、ファスナー装置の施工時に上記治具本体を当該治具本体の近傍に形成されている反力受部に係合させて回動を阻止することにより施工時のファスナー装置の供回りを防止することを特徴とするファスナー装置の施工用治具。
【請求項２】
治具本体は、ファスナー挿通穴が第１のファスナー挿通穴と該第１のファスナー挿入穴に隣接する第２のファスナー挿通穴であることを特徴とする請求項１に記載のファスナー装置の施工用治具。
【請求項３】
治具本体は、ファスナー挿通穴が複数本のファスナー装置を挿通できる第３のファスナー挿通穴であることを特徴とする請求項１に記載のファスナー装置の施工用治具。
【請求項４】
治具本体が、ファスナー装置の工具装着部に被せて使用する場合は、ファスナー挿通穴がファスナー装置の締付けネジが挿通できるものであることを特徴とする請求項１から３のいずれかに記載のファスナー装置の施工用治具。
【請求項５】
治具本体が、ファスナー装置の工具装着部と該被結合部材との間に装着して使用する場合は、ファスナー挿通穴がファスナー装置の開脚スリーブが挿通できるものであることを特徴とする請求項１から３のいずれかに記載のファスナー装置の施工用治具。
【請求項６】
第１の治具（１００）が鋼板資材で形成されたものであり、治具本体の両側縁を直角に折り曲げて治具側縁板（１０２）を形成し、該治具側縁板の内側にファスナー装置の締付けネジが挿通できるファスナー挿通穴を設け、上記治具側縁板の取付け間隔をファスナー装置の回転阻止部が係合できる幅に形成したことを特徴とする請求項１から５のいずれかに記載のファスナー装置の施工用治具。
【請求項７】
第２の治具（２００）が鋼板資材で形成されたものであり、治具本体の両側縁を直角に折り曲げて治具側縁板（２０２）を形成し、該治具側縁板の内側にファスナー装置の開脚スリーブが挿通できるファスナー挿通穴を設け、上記治具側縁板の取付け間隔をファスナー装置の工具装着部が係合できる幅に形成したことを特徴とする請求項１から５のいずれかに記載のファスナー装置の施工用治具。
【請求項８】
第３の治具（３００）が鋼板資材で形成されたものであり、第３の治具本体は、当該治具本体の両側縁を断面Ｕ字状に折り曲げて治具折返し縁（３０２）を形成し、該治具折返し縁の内側にファスナー装置を挿通するファスナー挿通穴を設け、上記治具折返し縁の取付け間隔をファスナー装置の工具装着部が係合できる幅に形成したことを特徴とする請求項１から５のいずれかに記載のファスナー装置の施工用治具。
【請求項９】
第４の治具（４００）が鋼板資材で形成されたものであり、第４の治具本体は、当該治具本体の両側縁を折り曲げて側縁部材（４０２）を形成するとともに側面視階段状に折り曲げ形成し、該治具本体には、上部治具本体、下部治具本体、縦部治具本体が形成され、該縦部治具本体は上記側縁部材が除去されており、上記上部治具本体及び上記下部治具本体にファスナー装置を挿通するファスナー挿通穴を設け、上記側縁部材の取付け間隔をファスナー装置の工具装着部が係合できる幅に形成したことを特徴とする請求項１から５のいずれかに記載のファスナー装置の施工用治具。
【請求項１０】
治具本体を、被結合部材に設置したファスナー装置の工具装着部と該被結合部材との間に装着して施工するに際し、当該治具本体を上記被結合部材に溶接したことを特徴とする請求項１から３，５，７から９のいずれかに記載のファスナー装置の施工用治具。
【発明の詳細な説明】
【技術分野】
【０００１】
本発明は、ファスナー装置の施工用治具に関しており、さらに詳しくは、片側方向から施工できる構造のファスナー装置の施工時において、装置の供回りが防止できる施工用治具に関している。
【背景技術】
【０００２】
鋼板の接合又は建造物の組立てをするに際し、片側方向から施工できるようにしたファスナー装置は、別名ワンサイドボルトと呼称されているものであって、特許文献１に記載されているが、この他にも多くの装置が知られている。本願発明者は、片側方向から施工できるようにしたファスナー装置を改良し、特願２００４−２４８２１８号により新たなファスナー装置を提案した。
【０００３】
図１７及び図１８は、本願発明者が提案したファスナー装置を示しており、ファスナー装置１が、開脚スリーブ１０，締付けボルト２０とからなるものであり、また、開脚スリーブ１０は、スリーブ本体１１の基端に六角頭部などにより形成される工具装着部１２を設け、先端に雌ネジ１３を設け、スリーブ胴体に軸方向に平行する複数のスリット１４を設けて当該部分を開脚部１５に形成したものであって、締付けボルト２０をスリーブ本体１１に挿入して雌ネジ１３とねじ結合したものである。
【０００４】
上記ファスナー装置は、被結合部材３０に形成した差込孔３１に挿入し、工具装着部１２を被結合部材３０の表面に突出し、該工具装着部１２を回転しないように固定した状態で締付けボルト２０を回転する。締付けボルト２０の回転によってスリーブ本体１１の先端が工具装着部１２に向って移動すると、スリット１４によって分断されている開脚部１５が外側に膨らんで変形し、最終的には開脚部１５が被結合部材３０の裏面で二つ折りに変形し、ファスナー装置１は工具装着部１２と変形した開脚部１５により被結合部材３０を結合するものである。
【０００５】
また、片側方向から施工できるファスナーの施工装置も開発されており、特許文献２及び３に記載の装置が提案されている。ただし、提案された装置は施工作業を補助するための治具ではなく、いずれも専用工具であり回転工具に組み込まれているので、既成の回転工具では使用することができず汎用性に欠けるものであった。
【０００６】
【特許文献１】実開昭５８−５０２１３号公報
【特許文献２】特開昭５８-４０２７１号公報
【特許文献３】特開２００４−１００８３７号公報
【発明の開示】
【発明が解決しようとする課題】
【０００７】
本発明は、片側方向から施工できるファスナー装置の施工時に、装置の供回りを防止した施工用治具を提供することを課題としている。
【課題を解決するための手段】
【０００８】
解決手段の第１は、ファスナー装置が、片側方向から施工でき、施工時の供回りを阻止する工具装着部を有するものであり、治具本体が、ファスナー装置を挿通するファスナー挿通穴とファスナー装置の工具装着部と係合し該ファスナー装置の自由な回転を阻止する係合面を有するファスナー係合部を設けたものであり、ファスナー装置を施行する被結合部材に、工具装着部を突出させてファスナー装置を挿通した後該工具装着部に上記治具本体の上記ファスナー係合部を係合し、又は、上記工具装着部に上記治具本体の上記ファスナー係合部を係合した状態で当該ファスナー装置を挿通し、ファスナー装置の施工時に上記治具本体を当該治具本体の近傍に形成されている反力受部に係合させて回動を阻止することにより施工時のファスナー装置の供回りを防止することを特徴とするものである。
【０００９】
解決手段の第２は、解決手段の第１において、治具本体は、ファスナー挿通穴が第１のファスナー挿通穴と該第１のファスナー挿通穴に隣接する第２のファスナー挿通穴であることを特徴とするものである。
【００１０】
解決手段の第３は、解決手段の第１において、治具本体は、ファスナー挿通穴が複数本のファスナー装置を挿通できる第３のファスナー挿通穴であることを特徴とするものである。
【００１１】
解決手段の第４は、解決手段の第１から第３のいずれかにおいて、治具本体が、ファスナー装置の工具装着部に被せて使用する場合は、ファスナー挿通穴がファスナー装置の締付けネジが挿通できるものであることを特徴とするものである。
【００１２】
解決手段の第５は、解決手段の第１から第３のいずれかにおいて、治具本体がファスナー装置の工具装着部と該被結合部材との間に装着して使用する場合は、ファスナー挿通穴がファスナー装置の開脚スリーブが挿通できるものであることを特徴とするものである。
【００１３】
解決手段の第６は、解決手段の第１から第５のいずれかにおいて、第１の治具が鋼板資材で形成されたものであり、治具本体の両側縁を直角に折り曲げて治具側縁板を形成し、該治具側縁板の内側にファスナー装置の締付けネジが挿通できるファスナー挿通穴を設け、上記治具側縁板の取付け間隔をファスナー装置の回転阻止部が係合できる幅に形成したことを特徴とするものである。
【００１４】
解決手段の第７は、解決手段の第１から第５のいずれかにおいて、第２の治具が鋼板資材で形成されたものであり、治具本体の両側縁を直角に折り曲げて治具側縁板を形成し、該治具側縁板の内側にファスナー装置の開脚スリーブが挿通できるファスナー挿通穴を設け、上記治具側縁板の取付け間隔をファスナー装置の工具装着部が係合できる幅に形成したことを特徴とするものである。
【００１５】
解決手段の第８は、解決手段の第１から第５のいずれかにおいて、第３の治具が鋼板資材で形成されたものであり、第３の治具本体は、当該治具本体の両側縁を断面Ｕ字状に折り曲げて治具折返し縁を形成し、該治具折返し縁の内側にファスナー装置を挿通するファスナー挿通穴を設け、上記治具折返し縁の取付け間隔をファスナー装置の工具装着部が係合できる幅に形成したことを特徴とするものである。
【００１６】
解決手段の第９は、解決手段の第１から第５のいずれかにおいて、第４の治具が鋼板資材で形成されたものであり、第４の治具本体は、当該治具本体の両側縁を折り曲げて側縁部材を形成するとともに側面視階段状に折り曲げ形成し、該治具本体には、上部治具本体、下部治具本体、縦部治具本体が形成され、該縦部治具本体は上記側縁部材が除去されており、上記上部治具本体及び上記下部治具本体にファスナー装置を挿通するファスナー挿通穴を設け、上記側縁部材の取付け間隔をファスナー装置の工具装着部が係合できる幅に形成したことを特徴とするものである。
【００１７】
解決手段の第１０は、解決手段の第１から第３，第５，第７から第９のいずれかにおいて、治具本体を、被結合部材に設置したファスナー装置の工具装着部と該被結合部材との間に装着して施工するに際し、当該治具本体を上記被結合部材に溶接したことを特徴とするものである。
【発明の効果】
【００１８】
請求項１は、片側方向から施工できるファスナー装置の施工に際し、治具本体を反力受部となる被結合部材の突状係合部又は既に施工されたファスナー装置に係合させて供回りを防止するものであるから、ファスナー装置が１本であっても施工可能であり、しかもファスナー装置の工具装着部を工具で押えなくても施工可能なので、施工に際し、装置を押えるための工具が不要となり作業性が向上する効果がある。また、この種ファスナー装置の特徴である締付けボルトの取り外しが可能であることの機能を利用して、施工後に締付けボルトを外して治具本体を取り除き、再び締付けボルトをねじ込むことで治具本体を被結合部材から取り外すことができる効果がある。
【００１９】
請求項２は、第１のファスナー挿入穴に隣接して第２のファスナー挿入穴を設けたものであるから、一度のセットで複数本のファスナー装置を同時に施工できる効果がある。
【００２０】
請求項３は、ファスナー挿通穴が複数本のファスナー装置を挿通できる第３のファスナー挿入穴であるから、一度のセットで複数本のファスナー装置を同時に施工できる効果がある。
【００２１】
請求項４は、ファスナー挿入穴をファスナー装置の締付けネジが挿通できる大きさに形成したものであるから、施工が、治具本体をファスナー装置に被せて使用する態様に限定されるが、施工中に治具本体のガタツキがなく施工し易い効果がある。
【００２２】
請求項５は、ファスナー挿入穴をファスナー装置の開脚スリーブが挿通できる大きさに形成したものであるから、施工が、治具本体をファスナー装置の工具装着部と被結合部材との間に装着して使用する態様に限定されるが、施工中に治具本体のガタツキがなく施工し易い効果がある。
【００２３】
請求項６は、第１の治具本体を鋼板資材で形成し、ファスナー挿通穴をファスナー装置の締付けネジが挿通できる大きさに形成したものであるから、施工の際に、治具本体をファスナー装置に被せて使用する態様に限定されるが、施工中に治具本体のガタツキがなく施工し易い効果がある。
【００２４】
請求項７は、第２の治具本体を鋼板資材で形成し、ファスナー挿通穴をファスナー装置の開脚スリーブが挿通できる大きさに形成したものであるから、施工の際に、治具本体をファスナー装置の工具装着部と被結合部材との間に装着して使用する態様に限定されるが、施工中に治具本体のガタツキがなく施工し易い効果がある。
【００２５】
請求項８は、第３の治具本体を鋼板資材で形成したものであり、治具本体の側縁部を断面Ｕ字状に折り曲げて治具折返し縁を形成したものであるから、工具装着部を挟持する挟持力が強く施工時に治具本体が変形するのを防止できる効果がある。
【００２６】
請求項９は、第４の治具本体を側面視階段状に形成したものであるから、被結合部材が側面視で階段状に形成されている場合に適用できる効果がある。
【００２７】
請求項１０は、治具本体を被結合部材に溶接して施工するものであるから、ファスナー装置の施工時の段取り作業性が向上する効果がある。
【発明を実施するための最良の形態】
【００２８】
図１ないし図９が第１の治具に関しており、図１，２は第１の治具を示す斜視図、図３はファスナー装置１本を施工する場合の斜視図、図４は施工開始時を示す斜視図、図５は施工完了時を示す斜視図、図６は施工完了時の断面図、図７は施工完了後に治具を取外した状態を示す斜視図、図８はファスナー装置２本を施工する場合の施工開始時を示す斜視図、図９は施工後に治具を取外した状態を示す斜視図である。
【００２９】
図１に示す第１の治具１００は、鋼板資材で形成した治具本体１０１の両側縁を直角に折り曲げて治具側縁板１０２を形成し、該治具側縁板１０２の内側に第１のファスナー挿入穴１０３と第２のファスナー挿入穴１０４を設けたものである。なお、第１のファスナー挿入穴１０３は、ファスナー装置の締付けネジ２０が挿通できる大きさに形成されており、また、第２のファスナー挿入穴１０４はファスナー装置の締付けネジ２０が挿通できる長孔に形成されている。
【００３０】
また、図２に示す第１の治具１００は、治具本体１０１に複数本のファスナー装置が挿通できる第３のファスナー挿入穴１０５を設けたものである。
【００３１】
上記治具側縁板１０２は、ファスナー装置の工具装着部１２と係合してファスナー装置の自由な回転を阻止するファスナー係合部となるものであり、当該治具側縁板１０２の取付け間隔は、該工具装着部１２が係合できる幅と等しくなっている。
【００３２】
第１の治具１００は、被結合部材３０，３１にセットされたファスナー装置１の工具装着部１２に被せて使用するものであり、１本又は２本のファスナー装置が施工できる。図３ないし図７は１本使用の場合を示し、図８及び図９は２本使用の場合を示している。
【００３３】
図３において、二つの被結合部材３０，３１に形成したファスナー差込穴３２に開脚スリーブ１０を挿入し、工具装着部１２を被結合部材３０の表面に係止する。次に、第１の治具１００を工具装着部１２に被せ、第１のファスナー挿入穴１０３と開脚スリーブ１０のネジ穴とを一致させ、該第１のファスナー挿入穴１０３を介して締付けネジ２０を開脚スリーブ１０内に挿入する（図４）。なお、被結合部材３０のファスナー差込穴３２は、近傍に反力受部を構成する突条係合部３０ａが形成されているか又は既にファスナー装置が設置されていることが条件である。
【００３４】
図４に示すように組み立てられたら、ボルト頭部２１に工具を装着して締付けボルト２０を回転する。締付けボルト２０を締付け方向（平面視で時計方向）に回転すると、開脚スリーブ１０が工具装着部１２を伴って同方向に回転するので、治具本体１０１は時計方向に回転して先端が突条係合部３０ａに係合するまで回転する（図５）。治具本体１０１はこの位置で回転が阻止されるので、締付けボルト２０の回転を続ければ、ファスナー装置１は開脚スリーブ１０が外側に折れ曲って変形し被結合部材３０，３１の背面に施工される（図６）。
【００３５】
図７はファスナー装置の施工後に治具を取外した状態を示している。施工完了後は、締付けボルト２０を外しても被結合部材３０，３１は、工具装着部１２と変形した開脚部１５によって結合されているので、治具本体１０１を取り外すことができる。施工完了後に締付けボルト２０を外すと治具本体１０１は、ファスナー装置１の工具装着部１２に被せられているだけであるから、締付けボルト２０を外してから治具本体１０１を取り外し、その後、再び開脚スリーブ１０に締付けボルト２０を締付けておく。
【００３６】
ファスナー装置１本を施工する場合は、近傍に治具本体１０１の先端を係合する突起状部材を必要とするが、例えば、既にファスナー装置が施工されており、この既設のファスナー装置の近傍に新たに施工する場合は、既設のファスナー装置を治具本体１０１が係合する反力受部とすることができる。
【００３７】
図８は第１治具を使用して２本のファスナー装置を施工する場合である。被結合部材３０，３１に挿入した開脚スリーブの工具装着部１２，１２ａに治具本体１０１を被せ、開脚スリーブに締付けネジ（２０，２０ａ）をねじ結合してボルト頭部２１，２１ａにより締付ける。締付けネジの回転はどちらから行ってもよく、一方を回転すれば治具本体１０１は供回りして回転しようとするが、当該治具本体１０１は他の開脚スリー部に係止されていて回転が阻止されているので、施工中のファスナー装置は供回りすることなく施工されることになる。
【００３８】
図９は施工完了後に治具本体を取外した状態を示しており、施工完了後に締付けボルトを外してから治具本体（１０１）を外し、再び締付けボルトをねじ結合している。
【００３９】
ファスナー装置は１本使用と２本使用の場合があり、いずれの場合も図１に示す形態で説明したが、図２に示すように、ファスナー挿入穴が長孔の第３のファスナー挿入穴１０５を使用できることは勿論である。
【００４０】
図１０ないし図１２が第２の治具に関している。第２の治具２００を使用する場合は、二つの被結合部材３０，３１の接合部に形成した差込穴３２，３２ａに治具本体２０１の表面を当接して該差込穴３２，３２ａと第１及び第２のファスナー挿入穴２０３，２０４を一致させる。次いで、ファスナー挿入穴２０３，２０４を介してファスナー装置１，１Ａの開脚スリーブ１０，１０ａを上記差込穴３２，３２ａに挿入し、いずれの開脚スリーブ１０，１０ａも工具装着部１２，１２ａを治具側縁板２０２の係合面に係合する。
【００４１】
このように組付けられたファスナー装置１，１Ａのうち、一方のファスナー装置１の締付けボルト２０を回転すると、該締付けボルト２０の回転に伴ってファスナー装置１が供回りを起そうとするが、当該ファスナー装置１は、いずれも工具装着部１２，１２ａが治具側縁板２０２に係合されているので、他方のファスナー装置１Ａが反力受部として作用し、施工中のファスナー装置１の供回りが阻止される。一方のファスナー装置１が施工できたら、他方のファスナー装置１Ａを施工する。
【００４２】
図１１は、第２の治具２００を使用してファスナー装置を施工する施工開始時を示すと共に施工完了時を示しており、ここでは、治具本体２０１は被結合部材３０と開脚スリーブ１０の工具装着部１２との間に残されている。また、施工が完了したファスナー装置１は図１２に示すように、工具装着部１２と変形した開脚スリーブ１５によって被結合部材３０，３１を結合している。ただし、被結合部材３０と工具装着部１２との間に第２の治具２００が残されていることは前述したとおりである。
【００４３】
第２の治具２００は、治具本体２０１に第１のファスナー挿入穴２０３及び第２のファスナー挿入穴２０４を設けた形態を説明したが、治具本体２０１に長孔形状の第３のファスナー挿入穴を設けることができることは勿論である。
【００４４】
第１の治具１００及び第２の治具２００は、二つのファスナー装置１，１Ａの取付けピッチが狭い場合であっても施工可能である。開脚スリーブ１０，１０ａの開脚部１５，１５ａは、どの方向に変形するかが予想できるから、図１３に示すように、開脚部１５，１５ａを交差させることで当該開脚部１５，１５ａが重なり合うことなく施工できる。
【００４５】
図１４は第３の治具に関している。第３の治具３００は、鋼板資材で形成した治具本体３０１の両端縁を断面Ｕ字状に折り曲げて治具折返し縁３０２を形成し、該治具折返し縁３０２内側にファスナー装置を挿通するファスナー挿通穴３０３，３０４を設けたものである。治具折返し縁３０２は、ファスナー装置の工具装着部１２が係合できる係合面を有するファスナー係合部に相当するものである。第３の治具３００は、第１の治具１００と同様に鋼板資材によって形成したものであるが、治具折返し縁３０２が断面Ｕ字状に折り曲げられているから、工具装着部１２を挟持する挟持力が強く施工時に部材が変形するのを防止できる。
【００４６】
第３の治具３００は、第１の治具１００と同じようにファスナー装置の工具装着部１２に被せて施工する場合と、被結合部材３０と工具装着部１２との間に挟んで施工する場合を選択でき、いずれの場合の施工も前述した手順により行われる。
【００４７】
図１５，図１６は第４の治具に関している。第４の治具４００は、鋼板資材で形成した治具本体４０１の両側縁を折り曲げて側縁部材４０２を形成するとともに、治具本体４０１を側面視階段状に折り曲げ形成したものである。なお、治具本体４０１は側面視を階段状に折り曲げ形成したので、上部治具本体４０１ａと下部治具本体４０１ｂとの間に縦部治具本体４０１ｃが形成されたが、縦部治具本体４０１ｃからは側縁部材（４０２）が除去されている。
【００４８】
側縁部材４０２は、ファスナー装置の工具装着部１２が係合できる係合面を有するファスナー係合部に相当するものである。また、上部治具本体４０１ａ及び下部治具本体４０１ｂには、長孔形状のファスナー挿入穴４０４が設けられている。
【００４９】
第４の治具４００は、被結合部材３０が側面視で階段状に形成されている場合に適用されるものであって、施工手順は第１の治具１００の第２使用例と同じ要領で行う。
【００５０】
本発明の治具は、上記した使用例以外に治具本体を被結合部材に溶接してファスナー装置を施工することができる。すなわち、治具本体を被結合部材とファスナー装置の工具装着部との間に挟んで施工は、全ての治具本体を被結合部材に溶接する使用が可能である。
【図面の簡単な説明】
【００５１】
【図１】第１の治具を示す斜視図。
【図２】第１の治具の他の実施形態を示す斜視図。
【図３】第１の治具により１本のファスナー装置を施工する時の治具とファスナー装置を示す斜視図。
【図４】第１の治具の施工開始時を示す斜視図。
【図５】第１の治具の施工完了時を示す斜視図。
【図６】第１の治具の施工完了時を示す断面図。
【図７】１本のファスナー装置の施工後に治具を取外した状態を示す斜視図。
【図８】第１の治具により２本のファスナー装置を施工する時の施工完了時を示す斜視図。
【図９】２本のファスナー装置の施工後に治具を取外した状態を示す斜視図。
【図１０】第２の治具により２本のファスナー装置を施工する時の治具とファスナー装置を示す斜視図。
【図１１】第２の治具の施工完了時を示す斜視図。
【図１２】第２の治具の施工完了時を示す断面図。
【図１３】第１及び第２の治具の施工完了時におけるファスナー装置の底面図。
【図１４】第３の治具を示す斜視図。
【図１５】第４の治具を示す斜視図。
【図１６】第４の治具の施工完了時を示す断面図。
【図１７】本願発明者が提案したファスナー装置を示す側面図。
【図１８】本願発明者が提案したファスナー装置の使用例を示す断面図。
【符号の説明】
【００５２】
１  ファスナー装置
１０  開脚スリーブ
１１  スリーブ本体
１２  工具装着部
１３  雌ネジ
１４  スリット
１５  開脚部
２０  締付けボルト
２１  ボルト頭部
３０，３１  被結合部材
３２  差込穴
１００  第１の治具
１０１  治具本体
１０２  治具側縁板
１０３  第１のファスナー挿通穴
１０４  第２のファスナー挿通穴
１０５  第３のファスナー挿通穴
２００  第２の治具
２０１  治具本体
２０３  第１のファスナー挿通穴
２０４  第２のファスナー挿通穴
３００  第３の治具
３０１  治具本体
３０３  第１のファスナー挿通穴
３０４  第２のファスナー挿通穴
４００  第５の治具
４０１  治具本体
４０１ａ  上部治具本体
４０１ｂ  下部治具本体
４０１ｃ  縦部治具本体
４０２  側縁部材
４０４  ファスナー挿通穴
【図１】
2006308040.tif 000003
【図２】
2006308040.tif 000004
【図３】
2006308040.tif 000005
【図４】
2006308040.tif 000006
【図５】
2006308040.tif 000007
【図６】
2006308040.tif 000008
【図７】
2006308040.tif 000009
【図８】
2006308040.tif 000010
【図９】
2006308040.tif 000011
【図１０】
2006308040.tif 000012
【図１１】
2006308040.tif 000013
【図１２】
2006308040.tif 000014
【図１３】
2006308040.tif 000015
【図１４】
2006308040.tif 000016
【図１５】
2006308040.tif 000017
【図１６】
2006308040.tif 000018
【図１７】
2006308040.tif 000019
【図１８】
2006308040.tif 000020